(57)【要約】【課題】赤外光を吸収する所定のパターンによるドット情報を設けた記録用紙へ筆記を行った際に、その筆跡が記録用紙から反射される赤外光の受光を妨げることなく、また必要に応じて、筆記先端を紙面に当接させても紙面を汚すことがないようにすることができる構造の電子ペンを得ることを目的とする。【解決手段】操作ノブを縦孔の前方へ前進させることにより押圧体でノック部材をノックして芯の繰り出しを行い、操作ノブを前進させた状態で該操作ノブを横孔の方向へ回動をさせることにより押圧体の係合突部を係合溝に係合させノック部材のノック状態を維持してシャープペンシル体のチャック機構の開放状態を維持する構造とする。【選択図】図１５
2007219723.tif 000002
【特許請求の範囲】
【請求項１】
軸心に沿った縦孔と該縦孔の前方で直交する横孔とからなる操作孔を外部に有し、軸心に沿った縦溝と該縦溝の前方で拡幅した係合溝とからなる摺動溝を内部に有するケース内に、前記操作孔内で摺動する操作ノブと係合溝内で摺動する係合突部とを有する押圧体をコイルバネにより後方へ弾発して配設し、操作ノブを操作孔の前方へ前進させることにより、前記ケース内に着脱可能に装着した筆記ユニットの筆記先端を該ケースの先端に螺合した先口から突出させ、操作ノブを前進させた位置で操作孔の横孔方向へ回動させることにより、前記押圧体の係合突部をケース内の係合溝に係合させ筆記ユニットの筆記先端の突出状態を維持する構造の筆記体出没機構と、赤外光を吸収する所定のパターンによるドット情報を設けた記録用紙に前記筆記ユニットの筆記先端で筆記を行う際に、記録用紙へ赤外光を照射する発光手段と、該記録用紙から反射された赤外光を受光する受光手段と、赤外光の反射状況をもとに筆記先端が通過した領域のドット情報を認識して位置データとして算出する処理手段とを備えた電子ペンにおいて、前記筆記ユニットを、軸筒の内部に赤外光を透過し且つ消しゴムで消去可能な芯を収容したシャープペンシル体とし、該シャープペンシル体を前記ケースに先端が前記先口より常時突出するよう装着し、該シャープペンシル体のノック部材を押圧体の前方に当接させ、操作ノブを前記縦孔の前方へ前進させることにより押圧体でノック部材をノックして芯の繰り出しを行い、操作ノブを前進させた状態で該操作ノブを前記横孔の方向へ回動をさせることにより押圧体の係合突部を係合溝に係合させノック部材のノック状態を維持してシャープペンシル体のチャック機構の開放状態を維持する構造としたことを特徴する電子ペン。
【請求項２】
前記シャープペンシル体が、軸筒の側面に軸心に沿った縦スリットと該縦スリットの前方で直交する横スリットとからなるスライド孔を設け、該スライド孔に前記ノック部材の側面に設けた突起を摺動可能に挿通し、前記操作ノブを前記操作孔の前方へ前進させた際に前記ノック部材の突起がスライド孔の縦スリットを前進し、前記操作体を操作孔の横孔の方向へ回動させた際に前記ノック部材の突起が前記スライド孔の横スリットに係止して、シャープペンシル体のチャック機構を開放した状態で維持する構造としたことを特徴する請求項１に記載の電子ペン。
【請求項３】
シャープペンシル体のチャック機構における芯を挟持するチャック部材を樹脂材で形成したことを特徴とする請求項１または２に記載の電子ペン。
【請求項４】
シャープペンシル体の先端部を樹脂材で形成したことを特徴する請求項１ないし３のいずれか１項に記載の電子ペン。
【発明の詳細な説明】
【技術分野】
【０００１】
本発明は、赤外光を吸収する所定のパターンによるドット情報を設けた記録用紙に筆跡を残すと共に、その筆跡情報を電子的に認識することができる電子ペンに関する。
【背景技術】
【０００２】
赤外光を吸収する所定のパターンによるドット情報を設けた記録用紙に、筆記ユニットの筆記先端で筆記手段と、記録用紙へ赤外光を照射する発光手段と、記録用紙から反射された赤外光を受光する受光手段と、赤外光の反射状況をもとに筆記体が通過した領域のドット情報を認識して位置データとして算出する処理手段とを備えた電子ペンについては知られており、例えば特開２００３−３０８１６３号公報等により提案されている。また筆記ユニットの筆記先端を保護するため、使用時のみケース内から筆記先端を出没させることができる筆記体出没機構を備えた電子ペンも既に販売されている。
【０００３】
簡単に前記筆記体出没機構を備えた電子ペン構造について図を用いて説明する。先ず、前記電子ペンの使用にあたっては専用の記録用紙が必要である。その専用の記録用紙１００は、図１に示すように、赤外光を吸収するインクで、直交する格子１０１、１０２の交点から上下左右のいずれかにずれて各ドット１０３が施されてる。その記録用紙に筆記を行う電子ペン１の概略構造は、例えば図２に示すように、ケース２の先端部に配した先口３の開口部３ａより記録用紙１００に筆記する筆記ユニット４の筆記先端４ａを突出させており、ケース２内に収容した筆記体出没機構５により筆記先端４ａを出没可能としている。筆記体出没機構５には筆記先端４ａで筆記を行った際に圧力を感知する感圧センサ６を備えている。また、ケース２の先端面には、赤外光を通す赤外光照射／受光用孔１０４を設けてあり、赤外光照射／受光用孔１０４の奥には、赤外光を発光する手段であるダイオード１０５と、該ダイオード１０５から記録用紙へ照射した赤外光の反射を受光する手段であるカメラ１０６とを配設してある。また、該カメラ１０６を通じて、前記筆記先端４ａが通過した領域のドット情報を位置データとして算出する処理手段１０７と、前記位置データを記録するメモリ（記録手段）１０８と、前記位置データを外部へ送信する送信手段１０９と、前記ダイオード１０５、カメラ１０６、処理手段１０７等の前記した各手段等への電源を供給する電源部１１０が配設されている。尚、電源部１１０にはスイッチ１１１を設けてあり、また、ダイオード１０５およびカメラ１０６への電気供給は前記感圧センサ６が反応した時に行われるようにしてある。
【０００４】
従来、こうした電子ペンにおいては、電子的な筆跡の読み取りとは別に、記録用紙に書いた筆跡が見えるように油性インクを筆記ユニットに収容してあるボールペンを装着してある。当然、用紙に書いたボールペンによる筆跡は、砂消しゴムや修正テープ等で見えないようにすることはできるが、この様な消し方は記録用紙のドットを傷つけてしまったりドット情報を判読できないものにしてしまうこととなる。最近、この電子ペンの使用方法は多様化しており、記録用紙に記載した筆跡が容易に消去可能な筆記体を配設したものの要望がある。
【０００５】
さらに、この電子ペンの他の使い方として、例えば世界地図を印刷してある紙に前記の記録用紙と同様のドット情報を設けた地図に対して、電子ペンの筆記先端を当接させることで、当接した地図上の国を電子ペンが認識して国名を音声で発するシステムもある。このような使い方では地図は恒久的に使いたいので、電子ペンに装着したボールペンのインクを付着させてしまうことは好ましくない。したがって目的によっては、筆記先端を紙面に当接させても筆跡が残らずスタイラスペンのように使用できるものが求められている。
【特許文献１】特開２００３−３０８１６３号公報
【発明の開示】
【発明が解決しようとする課題】
【０００６】
本発明は前記事実に鑑み、赤外光を吸収する所定のパターンによるドット情報を設けた記録用紙へ筆記を行った際に、その筆跡が記録用紙から反射される赤外光の受光を妨げることなく、また必要に応じて、筆記先端を紙面に当接させても紙面を汚すことがないようにすることができる構造の電子ペンを得ることを目的とする。
【課題を解決するための手段】
【０００７】
まず始めに本発明は、後述の従来図に示す既に販売されている製品で、ケースの側面に筆記先端を繰り出すための操作ノブを備えた所謂サイドノック式の筆記体出没機構を備えた電子ペン構造を用いることが肝要である。次に、図を用いて本発明に用いる従来の電子ペンにおける筆記体出没機構について詳述する。図３は従来の電子ペンの前方外観である。図４は図３を側面から見た図でケースの一部を外した状態である。図５は図３の状態における内部機構図で、図６は図５のボールペン体を外した状態の図である。また、図７はボールペン体単体の図で、図７Ａは正面図、図７Ｂは図７Ａを横から見た図である。図３、図４に示すように、電子ペン１の外殻を形成するケース２の前方部には、螺子で着脱可能な先口３を配設してあり、ケース２の側面には軸心に沿った方向に開口する縦孔２ａと該縦孔２ａの前方で直交する横孔２ｂとからなる操作孔２ｃを設けてあり、ケース２の内部に配設した押圧体１６の操作ノブ１６ａを前記操作孔２ｃより突出させている。
【０００８】
また、ボールペン体１７はケース２に配設した保持部材１８の保持部１８ａに保持されており、図５に示すように筆記先端１７ａを先口３内に収容し、ボールペン体１７の軸筒１７ｂの先端部を先口３の内面に当接して前方への動きを規制し、軸筒１７ｂの後部に配設したノック部材１７ｃを前記操作ノブ１６ａを設けた押圧体１６の前方部に当接させている。また、図示しないがボールペン体１７の内部にはスプリングを配設しており、前記ノック部材１７ｃを常時後方へ付勢した状態としている。また、押圧体１６の後部１６ｂには円環部材１９を装着しており、押圧体１６の後端に形成した突起部１６ｃと前記円環部材１９との間にコイルスプリング２０を装着し、押圧体１６を常時後方へ付勢した状態としている。
また、図７に示すようにボールペン体１７のノック部材１７ｃの側面にはカム面１７ｄを形成してあり、図５に示すように前記カム面１７ｄを押圧体１６の前方部に形成したカム面１６ｄに係合させ、操作ノブ１６ａの前後動に伴ってノック部材１７ｃが前後動し、且つ操作ノブ１６ａの回動に伴ってノック部材１７ｃが回動するようになっている。
【０００９】
また、ボールペン体１７の軸筒１７ｂの側面には、軸心に沿った縦スリット１７ｅと該縦スリット１７ｅの前方で直交する横スリット１７ｆとからなるスライド孔１７ｇを形成してあり、前記ノック部材１７ｃの側面に形成した突起１７ｈをスライド孔１７ｇに挿通してある。尚、ボールペン体１７の筆記先端１７ａが先口３内にある時には、突起１７ｈは前記スライド孔１７ｇの縦スリット１７ｅの後方に位置した状態となり、また、突起１７ｈがこの状態にある時の操作ノブ１６ａは、図３に示す様に、操作孔２ｃの縦孔２ａの後方に位置する。また、図８は図３の状態にある筆記体出没機構を裏面から見た図である。図８に示す通り、保持部材１８の後部には、軸心に沿った縦溝１８ｂと該縦溝１８ｂの前方で横方向に拡幅した係合溝１８ｃとからなる摺動溝１８ｄを形成してあり、また押圧体１６の操作ノブ１６ａの反対側に形成した係合突部１６ｅを該摺動溝１８ｄに挿通してある。尚、操作ノブ１６ａが図３の位置にある時には、係合突部１６ｅは摺動溝１８ｄの縦溝１８ｂの後部に位置する。
【００１０】
図９は操作ノブを操作した状態の図である。図１０は図９の状態における内部機構図である。また、図１１は図９の状態にある筆記体出没機構を裏面から見た図である。図９に示すように、従来の筆記体出没機構では操作ノブ１６ａを操作孔２ｃの縦孔２ａの前方に移動させることにより、ボールペン体１７の筆記先端１７ａを先口３の開口部３ａより突出させることができ、さらに操作孔２ｃの横孔２ｂ方向へ回動させることにより、筆記先端１７ａの突出状態が維持できる構造である。この時ケース２の内部では、図１０に示すように、操作ノブ１６ａの前進により押圧体１６がノック部材１７ｃをノックして、ボールペン体１７の内部に配設したスプリング（図示せず）を圧縮ながら筆記先端１７ａを突出させている。また、押圧体１６の前進に伴って、ノック部材１７ｃの側面に設けた突起１７ｈがスライド孔１７ｇの前方へ移動し、さらに操作ノブ１６ａの回動でカム面１６ｄがノック部材１７ｃのカム面１７ｄを回動し、突起１７ｈをスライド孔１７ｇの横スリット１７ｆに係止させる。この時に押圧体１６の裏側では、押圧体１６の係合突部１６ｅが摺動溝１８ｄの前方へ前進し、操作ノブ１６ａの回動によって前記係合突部１６ｅが係合溝１８ｃに係合し、操作ノブ１６ａを反対方向に回動させない限り係合状態を維持して、突出した筆記先端１７ａ筆記により筆記を行うことができる筆記体出没機構５としてある。尚、ボールペン体１７は、軸筒１７ｂの側面に設けたスリット１７ｉに保持部材１８に形成した突出部１８ｅを係止させており、操作ノブ１６ａを回動させても軸筒１７ｂが回転しない構造としてあるので、ボールペン体１７はノック部材１７ｃの回動だけを行うことができる。また、図１０に示すように、ボールペン体１７の筆記先端１７ａを突出させた状態のときには、筆記時の筆圧が軸筒１７ｂにかかり、その軸筒１７ｂがノック部材１７ｃの外周に配設した筒体２１を押圧して、筒体２１に形成したフランジ２１ａにより保持部材１８に装着した感圧センサ６を圧接して反応させる構造となっている。
【００１１】
また、図示しないが、図４に破線で示したＣの箇所には赤外光照射／受光用孔を設けて赤外光の照射／受光を可能にしてあり、赤外光を発光する手段であるダイオードと、該ダイオードからの赤外光の照射に基づく記録用紙からの赤外光の反射を受光する手段であるカメラとを配設してある。また、ケース２の後部には筆記先端が通過した領域のドット情報を位置データとして算出する処理手段と、前記位置データを記録するメモリ（記録手段）と、前記位置データを外部へ送信する送信手段と、前記ダイオード、カメラ、処理手段等の前記した各手段等への電源を供給する電源部が配設されている。
【００１２】
本発明は、上述した従来の電子ペンの筆記体出没機構にあるボールペン体を取り外し、赤外光を透過し且つ消しゴムで消去可能な芯を収容したシャープペンシル体を前記筆記体出没機構に装着してなる構造とする。具体的には、筆記体繰出機構の筆記ユニットを、軸筒の内部に赤外光を透過し且つ消しゴムで消去可能な芯を収容したシャープペンシル体とし、シャープペンシル体の先端がケースの先口より常時突出するようシャープペンシル体をケースに装着し、シャープペンシル体のノック部材を筆記体出没機構の押圧体に当接させ、ケース側面より突出した操作ノブを前進させることにより押圧体でノック部材をノックして、芯の繰り出しを行い、操作ノブが前進した位置で操作ノブを回動をさせることにより、押圧体に設けた係合突部をケース内に設けた係合溝に係合させ、ノック部材のノック状態を維持してシャープペンシル体のチャック機構の開放状態を維持する構造とする。尚、一般的な芯には炭素が含有されており、この炭素は赤外光を吸収してしまうので、この芯を用いて前記記録用紙に筆記を行うと筆跡で正確なドット情報の判読ができなくなり、電子ペンとして筆跡情報の読み取り機能を果たせない。したがって、本発明に用いる芯は赤外光を吸収しないことが必要条件である。こうした炭素を有さず消しゴムで消去可能な芯としては、窒化硼素と粘土と有機高分子化合物とからなる混練物を、押し出し成形して色芯素材を形成し、さらにこの色芯素材を、高温で焼成する際に、酸化雰囲気を、焼成工程の一部又は全部に用いることにより、前記の有機高分子化合物を該色芯素材より除去して、さらにこの白色多孔質焼結体の色芯素材にインキを含浸させてなる色芯であり、特公昭５１−４１３７６号公報より開示されているものが適している。
【００１３】
また、シャープペンシル体の軸筒の側面に、軸心に沿った縦スリットと該縦スリットの前方で直交する横スリットとからなるスライド孔を設け、スライド孔にノック部材の側面に設けた突起を摺動可能に挿通し、操作ノブを操作孔の前方へ前進させた際にノック部材の突起がスライド孔の縦スリットを前進し、前記操作体を前記操作孔の横孔方向へ回動させた際に前記ノック部材の突起が前記スライド孔の横スリットに係止して、シャープペンシル体のチャック機構を開放した状態で維持する構造とする。
【００１４】
また、シャープペンシル体のチャック機構における芯を挟持するチャック部材を樹脂材で形成する。
【００１５】
また、シャープペンシル体の先端を樹脂材で形成する。
【発明の効果】
【００１６】
本発明は、上述した従来の電子ペン構造を利用することで、容易にシャープペンシル体の芯繰り出しを行うことができる電子ペンが得られる。その芯には、赤外光を透過し且つ消しゴムで消去可能な芯を使用するので、手書きした筆跡は視認可能であると共にその筆跡を消しゴムで容易に消去することができるものとなり、筆記および消去を行っても記録用紙のドット情報を損なうことなく電子ペンとして筆跡情報を読み取ることができる。また、シャープペンシル体のチャックを開放状態で維持することで、その状態で芯を引っ込めてしまえば、紙を汚すことなくスタイラスペン的な使用ができ、さらに折れやすい特性がある色芯を使用してもチャックが開放していれば、落下や持ち運びによる衝撃を受けてもチャックが開放しているので芯に負担が掛かりにくく、芯折れの発生を防ぐ効果がある。
【００１７】
請求項２に係る発明では、操作ノブの操作に伴って、シャープペンシル単体でもチャック機構の開放状態を維持できるので、電子ペンのケースから筆記ユニットであるシャープペンシル体を外して保管する場合においても、シャープペンシル体のチャックを開放した状態にしておけば、シャープペンシル体に収容してある芯の芯折れが生じにくくなる。
【００１８】
請求項３に係る発明では、シャープペンシル体のチャック機構における芯を挟持するチャック部材を樹脂材で形成するので、折れやすい特性がある色芯を当該チャック部材で挟持する場合においても、芯に掛かる負担を軽減することができる。
【００１９】
請求項４に係る発明では、シャープペンシル体の先端部を樹脂材で形成するので、電子ペンをスタイラスペンのようにして使用する場合においても、当接させた面をシャープペンシル体の先端で傷つけ難いものとなる。
【発明を実施するための最良の形態】
【００２０】
次に図面を参照しながら、本発明の電子ペンの実施例を説明するが、本発明は以下の実施例に限定されるものではない。また図中の同じ部材、同じ部品については、同じ符号としてある。また、本実施例においては、筆記先端がある側を前方として表現する。
【実施例】
【００２１】
図１２は本実施例の電子ペンの前方外観である。図１３は図１２の状態における内部機構図である。図１４はシャープペンシル体単体の図で、図１４Ａは正面図、図１４Ｂは図１４Ａを横から見た図である。図１３に示す電子ペン１Ａは、前述の図６の状態におけるボールペン体を外した従来の電子ペン１の先口３を取り外して、図１４に示すシャープペンシル体を装着したものである。したがって、前述した従来の電子ペンと同様の部材、部品、構造については説明を省略する。図１３に示すように、電子ペン１Ａは、シャープペンシル体２７を保持部材１８の保持部１８ａに、樹脂材からなる先端部２７ａを先口３の開口部３ａから突出させて装着してある。尚、シャープペンシル体２７は、先口３の内面にその前方部を当接して前方への動きを規制し、軸筒２７ｂの後部に配設したノック部材２７ｃを前記操作ノブ１６ａを設けた押圧体１６の前方部に当接させている。
【００２２】
図示はしないが、シャープペンシル体２７の内部には樹脂製のチャック部材とそのチャック部材を弾発して芯２８を挟持する為のスプリングを配したチャック機構を備えており、このスプリングにより前記ノック部材２７ｃを常時後方へ付勢した状態としている。本実施例では、芯として、シリカ４５重量部を約５０〜１００重量部の水に分散させた後、酸化硼素４５重量部と約５０重量部の水に溶解させたポリビニールアルコール１０重量部を加えて水を蒸発させながら混練して細線状に押し出し成形して色芯素材を形成し、この色芯素材を１０５℃で乾燥した後に酸化雰囲気中で６００℃まで昇温して酸化焼成し、次にアルゴンガス中で１１００℃まで昇温して焼成して得られた焼結体を青色インキ中に浸漬けして、焼結体の気孔中に青色のインキを含浸させて製造された青色の色芯を用いて、シャープペンシル体２７の軸筒２７ｂの内部に収容してある。
【００２３】
図１４に示すようにシャープペンシル体２７のノック部材２７ｃの側面にはカム面２７ｄを形成してあり、図１３に示すように前記カム面２７ｄを押圧体１６の前方部に形成したカム面１６ｄに係合させてあり、操作ノブ１６ａの前後動に伴ってノック部材２７ｃが前後動し、且つ操作ノブ２６ａの回動に伴ってノック部材２７ｃが回動するようになっている。尚、シャープペンシル体２７は、軸筒２７ｂの側面に設けたスリット２７ｉに保持部材１８に形成した突出部１８ｅを係止させており、操作ノブ１６ａを回動させても軸筒２７ｂが回転しない構造としてあるので、シャープペンシル体２７はノック部材２７ｃの回動だけを行うことができる。また、シャープペンシル体２７の軸筒２７ｂの側面には、軸心に沿った縦スリット２７ｅと該縦スリット２７ｅの前方で直交する横スリット２７ｆとからなるスライド孔２７ｇを形成してあり、前記ノック部材２７ｃの側面に形成した突起２７ｈをスライド孔２７ｇに挿通してある。本実施例の電子ペン１Ａは、図１２に示す操作ノブ１６ａを操作孔２ｃの縦孔２ａの前方に移動させることにより、押圧体１６でノック部材２７ｃをノックして芯２８の繰り出しを行うことができる筆記出没機構５Ａとしてある。また、シャープペンシル体２７から芯２８を繰り出した状態で筆記を行うと、筆記時の筆圧がシャープペンシル体２７の軸筒２７ｂにかかり、その軸筒２７ｂがノック部材１７ｃの外周に配設した筒体２１を押圧して、筒体２１に形成したフランジ２１ａにより保持部材１８に装着した感圧センサ６を圧接して反応させる構造となっている。
【００２４】
図１５は操作ノブを回動した状態における内部機構の図である。また、図１６は図１５の状態にある筆記体出没機構を裏面から見た図である。本実施例の電子ペン１Ａは、操作ノブ１６ａを前進させ操作孔２ｃの横孔２ｂ方向へ回動させることにより、図１６に示すように押圧体１６の裏面では、係合突部１６ｅが摺動溝１８ｄの前方へ前進し、操作ノブ１６ａの回動により係合溝１８ｃに係合する。また、図１５に示すようにシャープペンシル体２７は、ノック部材２７ｃの突起２７ｈが軸筒２７ｂのスライド孔２７ｇの横スリット２７ｆに係止して、シャープペンシル体２７のチャック機構の開放状態を維持する。尚、シャープペンシル体２７は軸筒２７ｂの側面に設けたスリット２７ｉに保持部材１８に形成した１８ｅを係止させており、操作ノブ１６ａを回動させても軸筒２７ｂが回転しない構造としてあるので、シャープペンシル体２７はノック部材２７ｃの回動だけを行うことができる。この状態で芯２８をシャープペンシル体２７の先端２７ａ内に押し込めば、芯が突出してくることはなく、電子ペン１Ａをスタイラスペンとして使用することができる。尚、芯２８をシャープペンシル体２７に引き込んだ状態で使用した場合でも、筆圧はシャープペンシル体２７の軸筒２７ｂにかかり、その軸筒２７ｂがノック部材１７ｃの外周に配設した筒体２１を押圧して、筒体２１に形成したフランジ２１ａにより保持部材１８に装着した感圧センサ６を圧接して反応させる構造となっている。また操作ノブ１６ａを反対方向に回動させると、押圧体１６の係合突部１６ｅが係合溝１８ｃから外れると共に、ノック部材２７ｃの突起２７ｈが横スリット２７ｆから外れ、操作ノブ１６ａがシャープペンシル体２７のスプリング（図示せず）および押圧体１６に配設されたコイルスプリング２０の弾発力により操作ノブ１６ａを操作孔２ｃの後方へ移動するので、ノック部材２ｃの突起２７ｈを横スリット２７ｆに係止させたまま、ケース２の先端に装着した先口３を取り外すことにより、シャープペンシル体２７のチャック機構を開放状態を維持したままシャープペンシル体を取り外すことができた。
【産業上の利用可能性】
【００２５】
本願発明の電子ペンは、専用の用紙に記載された筆跡を容易に消しゴムで消去することができるので、例えば、幼児や子供達に対する用途として、問題に対する回答欄として記録用紙を採用した場合に、回答欄に何度でも回答を書き換えることができると共に、最終的な回答は記録用紙に記録として残せる、電子データも記録できる等、使用用途が拡がる。また、シャープペンシルはボールペンとは異なり、落下等の衝撃を受けても電子ペン内にインキが逆流してしまう心配がなく、またボールペンのように筆記時に空気交替を要することもないので、逆さまに筆記を行っても書き味が悪くなる心配はなく、ボールペンインキのように熱による悪影響をシャープペンシルの芯は受けないので、過酷な条件下における使用も可能である。
【図面の簡単な説明】
【００２６】
【図１】記録用紙概念図
【図２】従来の筆記体出没機構を備えた電子ペン構造。
【図３】従来の電子ペンの前方外観である。
【図４】図３を側面から見た図でケースの一部を外した状態である。
【図５】図３の状態における内部機構図である。
【図６】図５のボールペン体を外した状態の図である。
【図７】ボールペン体単体の図で、図７Ａは正面図、図７Ｂは図７Ａを横から見た図である。
【図８】図３の状態にある筆記体出没機構を裏面から見た図である。
【図９】操作ノブを操作した状態の図である。
【図１０】図９の状態における内部機構図である。
【図１１】図９の状態にある筆記体出没機構を裏面から見た図である。
【図１２】本実施例の電子ペンの前方外観である。
【図１３】図１２の状態における内部機構図である。
【図１４】シャープペンシル体単体の図で、図１４Ａは正面図、図１４Ｂは図１４Ａを横から見た図である。
【図１５】は操作ノブを回動した状態における内部機構の図である。
【図１６】図１５の状態にある筆記体出没機構を裏面から見た図である。
【符号の説明】
【００２７】
１００…記録用紙、１０１，１０２…格子、１０３…ドット、
１，１Ａ…電子ペン、
２…ケース、２ａ…縦孔、２ｂ…横孔、２ｃ…操作孔、
３…先口、４…筆記ユニット、４ａ…筆記先端、
５，５Ａ…筆記体出没機構、
６…感圧センサ、１０４…赤外光照射／受光用孔、１０５…ダイオード、
１０６…カメラ、１０７…処理手段１０７、１０８…メモリ（記録手段）、
１０９…送信手段、１１０…電源部、１１１…スイッチ、
１６…押圧体、１６ａ…操作ノブ、１６ｂ…後部、１６ｃ…突起部、
１６ｄ…カム面、１６ｅ…係合突部、
１７…ボールペン体、１７ａ…筆記先端、１７ｂ…軸筒、１７ｃ…ノック部材、
１７ｄ…カム面、１７ｅ…縦スリット、１７ｆ…横スリット、
１７ｇ…スライド孔、１７ｈ…突起、１７ｉ…スリット、
１８…保持部材、１８ａ…保持部、１８ｂ…縦溝、１８ｃ…係合溝、
１８ｄ…摺動溝、１８ｅ…突出部、１９…円環部材、
２０…コイルスプリング、２１…筒体、２１ａ…フランジ、
２７…シャープペンシル体、２７ａ…先端部、２７ｂ…軸筒、
２７ｃ…ノック部材、２７ｄ…カム面、２７ｅ…縦スリット、
２７ｆ…横スリット、２７ｇ…スライド孔、２７ｈ…突起、２７ｉ…スリット、
２８…芯。
【図１】
2007219723.tif 000003
【図２】
2007219723.tif 000004
【図３】
2007219723.tif 000005
【図４】
2007219723.tif 000006
【図５】
2007219723.tif 000007
【図６】
2007219723.tif 000008
【図７】
2007219723.tif 000009
【図８】
2007219723.tif 000010
【図９】
2007219723.tif 000011
【図１０】
2007219723.tif 000012
【図１１】
2007219723.tif 000013
【図１２】
2007219723.tif 000014
【図１３】
2007219723.tif 000015
【図１４】
2007219723.tif 000016
【図１５】
2007219723.tif 000017
【図１６】
2007219723.tif 000018